(57)【要約】  データ伝送方法、端末装置及びネットワーク装置を提供する。該方法は、端末装置が伝送対象のデータが存在する論理チャネルグループ（ＬＣＧ）を１つのみ有する場合、該１つのＬＣＧのバッファステータスレポート（ＢＳＲ）の報告フォーマットを確定し、該報告フォーマットは第１のフォーマット又は該第１のフォーマットと異なる第２のフォーマットであることと、該端末装置が該１つのＬＣＧのＢＳＲの報告フォーマットに応じて、該１つのＬＣＧのＢＳＲを報告することと、を含む。本発明実施例の技術案では、伝送対象のデータが存在する論理チャネルグループ（ＬＣＧ）を１つのみ有する場合、端末装置はまずこのＬＣＧのＢＳＲの報告フォーマットを確定し、次にこのＬＣＧのＢＳＲの報告フォーマットに応じてこのＬＣＧのＢＳＲを報告することにより、ＢＳＲの報告効率を向上させる。
2021500796.tif 000002
【特許請求の範囲】
【請求項１】
端末装置は、伝送対象のデータが存在する論理チャネルグループ（ＬＣＧ）を１つのみ有する場合、１つのＬＣＧのバッファステータスレポート（ＢＳＲ）の報告フォーマットを確定し、前記報告フォーマットは第１のフォーマット又は前記第１のフォーマットと異なる第２のフォーマットであることと、
前記端末装置は前記１つのＬＣＧのＢＳＲの報告フォーマットに基づいて、前記１つのＬＣＧのＢＳＲを報告することと、を含むことを特徴とするデータ伝送方法。
【請求項２】
前記１つのＬＣＧのバッファステータスレポート（ＢＳＲ）の報告フォーマットを確定することは、
前記端末装置は前記１つのＬＣＧのデータ量及び／又は前記１つのＬＣＧに対応するサービスタイプに基づいて、前記１つのＬＣＧのＢＳＲを確定することを含むことを特徴とする請求項１に記載の方法。
【請求項３】
前記１つのＬＣＧのバッファステータスレポート（ＢＳＲ）の報告フォーマットを確定する前に、前記方法は、
前記端末装置はネットワーク装置から送信された指示情報を受信し、前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられることを更に含み、
前記１つのＬＣＧのバッファステータスレポート（ＢＳＲ）の報告フォーマットを確定することは、
前記端末装置が前記指示情報に基づいて、前記１つのＬＣＧのＢＳＲの報告フォーマットを確定することを含むことを特徴とする請求項１又は２に記載の方法。
【請求項４】
前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられることを特徴とする請求項３に記載の方法。
【請求項５】
前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられることを特徴とする請求項３に記載の方法。
【請求項６】
前記第１のフォーマットと前記第２のフォーマットに含まれることができるＢＳＲの量は異なることを特徴とする請求項１〜５のいずれか１項に記載の方法。
【請求項７】
前記第１のフォーマットは前記１つのＬＣＧのＢＳＲのみを報告するためのフォーマットであり、前記第２のフォーマットは少なくとも前記１つのＬＣＧを含むＢＳＲを報告するためのフォーマットであることを特徴とする請求項６に記載の方法。
【請求項８】
前記端末装置がネットワーク装置から送信された前記指示情報を受信することは、
前記端末装置は前記ネットワーク装置から送信された、前記指示情報を含む無線リソース制御（ＲＲＣ）シグナリングを受信することを含むことを特徴とする請求項３〜７のいずれか１項に記載の方法。
【請求項９】
ネットワーク装置は指示情報を生成し、前記指示情報は端末装置が、前記端末装置が伝送対象のデータが存在する論理チャネルグループ（ＬＣＧ）を１つのみ有する場合の１つのＬＣＧのバッファステータスレポート（ＢＳＲ）の報告フォーマットを確定することに用いられ、前記報告フォーマットは第１のフォーマット又は前記第１のフォーマットと異なる第２のフォーマットであることと、
前記ネットワーク装置は前記指示情報を前記端末装置に送信することと、を含むことを特徴とするデータ伝送方法。
【請求項１０】
前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられることを特徴とする請求項９に記載の方法。
【請求項１１】
前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられることを特徴とする請求項９又は１０に記載の方法。
【請求項１２】
前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられることを特徴とする請求項９又は１０に記載の方法。
【請求項１３】
前記第１のフォーマットと前記第２のフォーマットに含まれることができるＢＳＲの量は異なることを特徴とする請求項９〜１２のいずれかに記載の方法。
【請求項１４】
前記第１のフォーマットは前記１つのＬＣＧのＢＳＲのみを報告するためのフォーマットであり、前記第２のフォーマットは少なくとも前記１つのＬＣＧを含むＢＳＲを報告するためのフォーマットであることを特徴とする請求項１３に記載の方法。
【請求項１５】
前記ネットワーク装置が指示情報を前記端末装置に送信することは、
前記ネットワーク装置は前記指示情報を含む無線リソース制御（ＲＲＣ）シグナリングを前記端末装置に送信することを含むことを特徴とする請求項９〜１４のいずれか１項に記載の方法。
【請求項１６】
端末装置が伝送対象のデータが存在する論理チャネルグループ（ＬＣＧ）を１つのみ有する場合、１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである処理ユニットと、
前記１つのＬＣＧのＢＳＲの報告フォーマットに応じて、前記１つのＬＣＧのＢＳＲを報告することに用いられる送受信ユニットと、を備えることを特徴とする端末装置。
【請求項１７】
前記処理ユニットは具体的に、
前記１つのＬＣＧのデータ量及び／又は前記１つのＬＣＧに対応するサービスタイプに基づいて、前記１つのＬＣＧのＢＳＲを確定することに用いられることを特徴とする請求項１６に記載の端末装置。
【請求項１８】
前記送受信ユニットは更に、
前記処理ユニットが前記１つのＬＣＧのバッファステータスレポート（ＢＳＲ）の報告フォーマットを確定する前に、ネットワーク装置から送信された指示情報を受信することに用いられ、前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられ、
前記処理ユニットは具体的に、
前記指示情報に基づいて前記１つのＬＣＧのＢＳＲの報告フォーマットを確定することに用いられることを特徴とする請求項１６又は１７に記載の端末装置。
【請求項１９】
前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられることを特徴とする請求項１８に記載の端末装置。
【請求項２０】
前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられることを特徴とする請求項１８に記載の端末装置。
【請求項２１】
前記第１のフォーマットと前記第２のフォーマットに含まれることができるＢＳＲの量は異なることを特徴とする請求項１６〜２０のいずれか１項に記載の端末装置。
【請求項２２】
前記第１のフォーマットは前記１つのＬＣＧのＢＳＲのみを報告するためのフォーマットであり、前記第２のフォーマットは少なくとも前記１つのＬＣＧを含むＢＳＲを報告するためのフォーマットであることを特徴とする請求項２１に記載の端末装置。
【請求項２３】
前記送受信ユニットは具体的に、
前記ネットワーク装置から送信された、前記指示情報を含む無線リソース制御（ＲＲＣ）シグナリングを受信することに用いられることを特徴とする請求項１８〜２２のいずれか１項に記載の端末装置。
【請求項２４】
指示情報を生成することに用いられ、前記指示情報は端末装置が、前記端末装置が伝送対象のデータが存在する論理チャネルグループ（ＬＣＧ）を１つのみ有する場合の１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである生成ユニットと、
前記端末装置に前記指示情報を送信することに用いられる送受信ユニットと、を備えることを特徴とするネットワーク装置。
【請求項２５】
前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられることを特徴とする請求項２４に記載のネットワーク装置。
【請求項２６】
前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられることを特徴とする請求項２４又は２５に記載のネットワーク装置。
【請求項２７】
前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられることを特徴とする請求項２４又は２５に記載のネットワーク装置。
【請求項２８】
前記第１のフォーマットと前記第２のフォーマットに含まれることができるＢＳＲの量は異なることを特徴とする請求項２４〜２７のいずれか１項に記載のネットワーク装置。
【請求項２９】
前記第１のフォーマットは前記１つのＬＣＧのＢＳＲのみを報告するためのフォーマットであり、前記第２のフォーマットは少なくとも前記１つのＬＣＧを含むＢＳＲを報告するためのフォーマットであることを特徴とする請求項２８に記載のネットワーク装置。
【請求項３０】
前記送受信ユニットは具体的に、
前記指示情報を含む無線リソース制御（ＲＲＣ）シグナリングを前記端末装置に送信することに用いられることを特徴とする請求項２４〜２９のいずれか１項に記載のネットワーク装置。
【発明の詳細な説明】
【技術分野】
【０００１】
本発明の実施例は通信分野に関し、より具体的に、データ伝送方法、端末装置及びネットワーク装置に関する。
【背景技術】
【０００２】
端末装置は、ネットワーク装置に該端末装置の伝送対象のデータのバッファステータを把握させるために、該ネットワーク装置が該端末装置にアップリンクリソースを精確に認定するように、ネットワーク装置にバッファステータスレポート（Ｂｕｆｆｅｒ  Ｓｔａｔｕｓ  Ｒｅｐｏｒｔ、ＢＳＲ）を報告する。ＢＳＲの報告は無線リソース制御（Ｒａｄｉｏ  Ｒｅｓｏｕｒｃｅ  Ｃｏｎｔｒｏｌ、ＲＲＣ）シグナリングに応じるパラメータによって制御される。例えば、周期的ＢＳＲタイマー（ｐｅｒｉｏｄｉｃＢＳＲ−Ｔｉｍｅｒ）、再送ＢＳＲタイマー（ｒｅｔｘＢＳＲ−Ｔｉｍｅｒ）等が挙げられる。
【０００３】
また、異なるサービスによって、端末装置は大量の無線ベアラ（ｒａｄｉｏ  ｂｅａｒｅｒ、各ｂｅａｒｅｒが１つの論理チャネルに対応する）を作成する可能性があり、各論理チャネルに１つのＢＳＲを報告する場合、大量のシグナリングオーバーヘッドをもたらす。このような場合を回避するために、論理チャネルグループ（ｌｏｇｉｃａｌ  ｃｈａｎｎｅｌ  ｇｒｏｕｐ、ＬＣＧ）の概念を導入し、各論理チャネルを１つのＬＣＧに入れる。端末装置は、各論理チャネルに１つのＢＳＲを報告することではなく、ＬＣＧに基づいてＢＳＲを報告する。例えば、ロングタームエボリューション（Ｌｏｎｇ  Ｔｅｒｍ  Ｅｖｏｌｕｔｉｏｎ、ＬＴＥ）技術においてＬＣＧの数が４つであり、新エアインタフェース（ＮＲ）技術においてＬＣＧの数が８つである。
【０００４】
ＬＴＥにおいて、端末装置は伝送対象のデータが存在するＬＣＧを１つのみ有する場合、ショートバッファステータスレポートフォーマット（ｓｈｏｒｔ  ＢＳＲ）でそのバッファ（ｂｕｆｆｅｒ）ステータスを報告する。しかしながら、ＮＲにおけるロングバッファステータスレポートフォーマット（ｌｏｎｇ  ＢＳＲ）がビットマップ（ｂｉｔｍａｐ）形態であるため、端末装置は伝送対象のデータが存在するＬＣＧを１つのみ有する場合、端末装置はｓｈｏｒｔ  ＢＳＲでそのバッファｂｕｆｆｅｒステータスを報告することもでき、１つのＬＣＧだけが含まれる。従来技術では、伝送対象のデータが存在するＬＣＧを１つのみ有する場合、端末装置がそのＢＳＲの報告フォーマットを確定する方法に関していない。
【０００５】
従って、端末装置が伝送対象のデータが存在するＬＣＧを１つのみ有する場合に対して、本分野においてそのＢＳＲの報告フォーマットを確定する方法が提供される必要がある。
【発明の概要】
【発明が解決しようとする課題】
【０００６】
データ伝送方法、端末装置及びネットワーク装置を提供しており、データの伝送効率を向上させることができる。
【課題を解決するための手段】
【０００７】
第１の態様ではデータ伝送方法を提供し、
端末装置は、伝送対象のデータが存在する論理チャネルグループ（ＬＣＧ）を１つのみ有する場合、前記１つのＬＣＧのバッファステータスレポート（ＢＳＲ）の報告フォーマットを確定し、前記報告フォーマットは第１のフォーマット又は前記第１のフォーマットと異なる第２のフォーマットであることと、
前記端末装置は前記１つのＬＣＧのＢＳＲの報告フォーマットに基づいて、前記１つのＬＣＧのＢＳＲを報告することと、を含む。
【０００８】
本発明の実施例の技術案では、伝送対象のデータが存在する論理チャネルグループ（ＬＣＧ）を１つのみ有する場合、端末装置はまずこのＬＣＧのＢＳＲの報告フォーマットを確定し、次にこのＬＣＧのＢＳＲの報告フォーマットに応じてこのＬＣＧのＢＳＲを報告することにより、ＢＳＲの報告効率を向上させることができる。
【０００９】
いくつかの可能な実現方式では、前記１つのＬＣＧのバッファステータスレポート（ＢＳＲ）の報告フォーマットを確定することは、
前記端末装置は前記１つのＬＣＧのデータ量及び／又は前記１つのＬＣＧに対応するサービスタイプに基づいて、前記１つのＬＣＧのＢＳＲを確定することを含む。
【００１０】
いくつかの可能な実現方式では、前記１つのＬＣＧのバッファステータスレポート（ＢＳＲ）の報告フォーマットを確定する前に、前記方法は、
前記端末装置はネットワーク装置から送信された指示情報を受信し、前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられることを更に含み、
前記１つのＬＣＧのバッファステータスレポート（ＢＳＲ）の報告フォーマットを確定することは、
前記端末装置が前記指示情報に基づいて、前記１つのＬＣＧのＢＳＲの報告フォーマットを確定することを含む。
【００１１】
いくつかの可能な実現方式では、前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられる。
【００１２】
いくつかの可能な実現方式では、前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられる。
【００１３】
いくつかの可能な実現方式では、前記第１のフォーマットと前記第２のフォーマットに含まれることができるＢＳＲの量は異なる。
【００１４】
いくつかの可能な実現方式では、前記第１のフォーマットは前記１つのＬＣＧのＢＳＲのみを報告するためのフォーマットであり、前記第２のフォーマットは少なくとも前記１つのＬＣＧを含むＢＳＲを報告するためのフォーマットである。
【００１５】
いくつかの可能な実現方式では、前記端末装置がネットワーク装置から送信された前記指示情報を受信することは、
前記端末装置は前記ネットワーク装置から送信された、前記指示情報を含む無線リソース制御（ＲＲＣ）シグナリングを受信することを含む。
【００１６】
第２の態様ではデータ伝送方法を提供し、
ネットワーク装置は指示情報を生成し、前記指示情報は端末装置が、前記端末装置が伝送対象のデータが存在する論理チャネルグループ（ＬＣＧ）を１つのみ有する場合の前記１つのＬＣＧのバッファステータスレポート（ＢＳＲ）の報告フォーマットを確定することに用いられ、前記報告フォーマットは第１のフォーマット又は前記第１のフォーマットと異なる第２のフォーマットであることと、
前記ネットワーク装置は前記指示情報を前記端末装置に送信することと、を含む。
【００１７】
いくつかの可能な実現方式では、前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられる。
【００１８】
いくつかの可能な実現方式では、前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられる。
【００１９】
いくつかの可能な実現方式では、前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられる。
【００２０】
いくつかの可能な実現方式では、前記第１のフォーマットと前記第２のフォーマットに含まれることができるＢＳＲの量は異なる。
【００２１】
いくつかの可能な実現方式では、前記第１のフォーマットは前記１つのＬＣＧのＢＳＲのみを報告するためのフォーマットであり、前記第２のフォーマットは少なくとも前記１つのＬＣＧを含むＢＳＲを報告するためのフォーマットである。
【００２２】
いくつかの可能な実現方式では、前記ネットワーク装置が指示情報を前記端末装置に送信することは、
前記ネットワーク装置は前記指示情報を含む無線リソース制御（ＲＲＣ）シグナリングを前記端末装置に送信することを含む。
【００２３】
第３の態様では端末装置を提供し、
端末装置が伝送対象のデータが存在する論理チャネルグループ（ＬＣＧ）を１つのみ有する場合、前記１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである処理ユニットと、
前記１つのＬＣＧのＢＳＲの報告フォーマットに応じて、前記１つのＬＣＧのＢＳＲを報告することに用いられる送受信ユニットと、を備える。
【００２４】
第４の態様では端末装置を提供し、
端末装置が伝送対象のデータが存在する論理チャネルグループ（ＬＣＧ）を１つのみ有する場合、前記１つのＬＣＧのバッファステータスレポート（ＢＳＲ）の報告フォーマットを確定することに用いられ、前記報告フォーマットが第１のフォーマット又は前記第１のフォーマットと異なる第２のフォーマットであるプロセッサと、
前記１つのＬＣＧのＢＳＲの報告フォーマットに応じて、前記１つのＬＣＧのＢＳＲを報告することに用いられる送受信機と、を備える。
【００２５】
第５の態様ではネットワーク装置を提供し、
指示情報を生成することに用いられ、前記指示情報は端末装置が、前記端末装置が伝送対象のデータが存在する論理チャネルグループ（ＬＣＧ）を１つのみ有する場合の前記１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである生成ユニットと、
前記端末装置に前記指示情報を送信することに用いられる処理ユニットと、を備える。
【００２６】
第６の態様ではネットワーク装置を提供し、
指示情報を生成することに用いられ、前記指示情報は端末装置が、前記端末装置が伝送対象のデータが存在する論理チャネルグループ（ＬＣＧ）を１つのみ有する場合の前記１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである生成装置と、
前記端末装置に前記指示情報を送信することに用いられる送受信機と、を備える。
【００２７】
第７の態様では、上記第１の態様又は第２の態様の方法実施例を実行するための命令を含むコンピュータプログラムを記憶することに用いられるコンピュータ読み取り可能な媒体を提供する。
【００２８】
第８の態様では、入力インタフェース、出力インタフェース、少なくとも１つのプロセッサ及びメモリを備えるコンピュータチップを提供し、前記プロセッサは前記メモリにおけるコードを実行することに用いられ、前記コードが実行される場合、前記プロセッサは上記第１の態様及び様々な実現方式におけるデータ伝送方法の端末装置により実行される各過程を実現可能である。
【００２９】
第９の態様では、入力インタフェース、出力インタフェース、少なくとも１つのプロセッサ及びメモリを備えるコンピュータチップを提供し、前記プロセッサは前記メモリにおけるコードを実行することに用いられ、前記コードが実行される場合、前記プロセッサは上記第２の態様及び様々な実現方式におけるデータ伝送方法のネットワーク装置により実行される各過程を実現可能である。
【００３０】
第１０の態様では、前記ネットワーク装置及び前記端末装置を備える通信システムを提供する。
【図面の簡単な説明】
【００３１】
【図１】図１は本発明の応用シーンの例である。
【図２】図２は本発明の実施例のデータ伝送方法の概略フロー図である。
【図３】図３は本発明の実施例の第１のフォーマットの模式図である。
【図４】図４は本発明の実施例の第１のフォーマットの他の模式図である。
【図５】図５は本発明の実施例の第２のフォーマットの模式図である。
【図６】図６は本発明の実施例の第２のフォーマットの他の模式図である。
【図７】図７は本発明の実施例の端末装置の概略ブロック図である。
【図８】図８は本発明の実施例の他の端末装置の概略ブロック図である。
【図９】図９は本発明の実施例のネットワーク装置の概略ブロック図である。
【図１０】図１０は本発明の実施例の他のネットワーク装置の概略ブロック図である。
【発明を実施するための形態】
【００３２】
図１は本発明の実施例の応用シーンの模式図である。
【００３３】
図１に示すように、通信システム１００は端末装置１１０及びネットワーク装置１２０を備えてもよい。ネットワーク装置１２０はエアインタフェースを介して端末装置１１０と通信することができる。端末装置１１０とネットワーク装置１２０との間にはマルチサービス伝送がサポートされる。
【００３４】
理解すべきように、本発明の実施例は通信システム１００を例として説明するものに過ぎず、本発明の実施例はこれに限定されない。すなわち、本発明の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）等に適用可能である。
【００３５】
また、本発明ではネットワーク装置及び端末装置を組合わせて各実施例を説明する。
【００３６】
ネットワーク装置１２０とはネットワーク側の信号を送受信するための任意のエンティティを指してもよい。例えば、機器類通信（ＭＴＣ）のユーザ装置、ＧＳＭ又はＣＤＭＡにおける基地局（Ｂａｓｅ  Ｔｒａｎｓｃｅｉｖｅｒ  Ｓｔａｔｉｏｎ、ＢＴＳ）、ＷＣＤＭＡにおける基地局（ＮｏｄｅＢ）、ＬＴＥにおける発展型基地局（Ｅｖｏｌｕｔｉｏｎａｌ  Ｎｏｄｅ  Ｂ、ｅＮＢ又はｅＮｏｄｅＢ）、５Ｇネットワークにおける基地局装置等であってもよい。
【００３７】
端末装置１１０は任意の端末装置であってもよい。具体的に、端末装置１１０は無線アクセスネットワーク（Ｒａｄｉｏ  Ａｃｃｅｓｓ  Ｎｅｔｗｏｒｋ、ＲＡＮ）を介して１つ又は複数のコアネットワーク（Ｃｏｒｅ  Ｎｅｔｗｏｒｋ）と通信することができ、アクセス端末、ユーザ装置（Ｕｓｅｒ  Ｅｑｕｉｐｍｅｎｔ、ＵＥ）、ユーザユニット、ユーザステーション、移動ステーション、移動局、リモートステーション、遠隔端末、移動装置、ユーザ端末、端末、無線通信装置、ユーザエージェント又はユーザデバイスとも呼ばれる。例えば、セルラー、コードレス電話、セッションイニシエーションプロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、計算装置又は無線モデムに接続される他の処理装置、車載装置、ウェアラブル装置及び５Ｇネットワークにおける端末装置等であってもよい。
【００３８】
図２は本発明の実施例のデータ伝送方法の概略フロー図である。
【００３９】
図２に示されるように、該方法は、
ネットワーク装置が指示情報を生成する２１０と、
該ネットワーク装置が端末装置に該指示情報を送信する２２０と、
該端末装置が指示情報に基づいて、バッファステータスレポートの報告フォーマットを確定する２３０と、を含む。
【００４０】
具体的に、該端末装置は伝送対象のデータが存在するＬＣＧを１つのみ有する場合、該１つのＬＣＧのＢＳＲの報告フォーマットを確定し、該報告フォーマットは第１のフォーマット又は該第１のフォーマットと異なる第２のフォーマットであり、該端末装置は該１つのＬＣＧのＢＳＲの報告フォーマットに基づいて、該１つのＬＣＧのＢＳＲを報告する。
【００４１】
なお、本発明の実施例のデータ伝送方法は端末装置が伝送対象のデータが存在するＬＣＧを１つのみ有するシーンに適用できるが、該シーンに制限されない。
【００４２】
例えば、端末装置が複数のＬＣＧを有し、且つ該複数のＬＣＧに伝送対象のデータが存在する場合、該端末装置は該複数のＬＣＧの報告フォーマットを直接に該第１のフォーマット又は第２のフォーマットとして確定することができる。
【００４３】
理解すべきように、本発明の実施例における第１のフォーマット及び第２のフォーマットという用語は、ＢＳＲの報告フォーマットを区別するためのものに過ぎない。本発明の実施例ではその具体的な形態を制限しない。
【００４４】
一実施形態では、該第１のフォーマットと該第２のフォーマットに含まれることができるＢＳＲの量は異なる。更に、該第１のフォーマットは該１つのＬＣＧのＢＳＲのみを報告するためのフォーマットであり、該第２のフォーマットは少なくとも該１つのＬＣＧを含むＢＳＲを報告するためのフォーマットである。
【００４５】
技術案を容易に理解するために、以下では、該第１のフォーマットがｓｈｏｒｔ  ＢＳＲであり、該第２のフォーマットがｌｏｎｇ  ＢＳＲであることを例として説明する。
【００４６】
図３、図４では本発明の実施例における第１のフォーマットを模式的に示し、図５、図６では本発明の実施例の第２のフォーマットを模式的に示す。
【００４７】
例えば、図３に示されるように、該第１のフォーマットは１つの論理チャネルグループ識別子（ＬＣＧ  ＩＤ）フィールド及び１つの対応するバッファサイズ（Ｂｕｆｆｅｒ  Ｓｉｚｅ）フィールドを含んでもよく、それで分かるように、該第１のフォーマットは１つのＬＣＧのＢＳＲしか報告できない。ＬＣＧ  ＩＤフィールドは報告されたｂｕｆｆｅｒステータスに対応するＬＣＧを指定し、Ｂｕｆｆｅｒ  Ｓｉｚｅは、端末装置がこのＢＳＲを送信する伝送時間間隔（ＴＴＩ）内のすべての媒体アクセス制御（Ｍｅｄｉａ  Ａｃｃｅｓｓ  Ｃｏｎｔｒｏｌ、ＭＡＣ）プロトコルデータユニット（Ｐｒｏｔｏｃｏｌ  Ｄａｔａ  Ｕｎｉｔ、ＰＤＵ）がいずれも生成された後、ＬＣＧに対応するすべての論理チャネルの無線リンク制御プロトコル（Ｒａｄｉｏ  Ｌｉｎｋ  Ｃｏｎｔｒｏｌ、ＲＬＣ）レイヤ及びパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）レイヤにおける残りの、伝送可能な有効データの総和を指定する。また、図３に示されるＯｃｔ１は１つのビット単位であり、例えば、図３に示される８ビットである。
【００４８】
また、例えば、図４に示されるように、該第１のフォーマットは２つの予約（Ｒ）フィールド及び１つの論理チャネルグループ識別子（ＬＣＧ  ＩＤ）フィールドを含んでもよい。換言すれば、２つのＲフィールドによりＬＣＧに対応するすべての論理チャネルの伝送対象のデータのサイズを指示する。
【００４９】
また、例えば、図５に示されるように、該第２のフォーマットはビットマップ（ｂｉｔｍａｐ）フィールド及びバッファサイズ（Ｂｕｆｆｅｒ  Ｓｉｚｅ）フィールドを含んでもよい。ｂｉｔｍａｐフィールドは、端末装置が備えているすべてのＬＣＧのＢＳＲの報告状況を指示し、具体的に、図５に示されるＢ１〜Ｂ８である。例えば、ｂｉｔｍａｐフィールドの値が１０００００００であれば、端末装置の報告するｂｕｆｆｅｒステータスが１つのＬＣＧのみに対応すると理解できる。
【００５０】
また、例えば、図６に示されるように、該第２のフォーマットは２つの予約（Ｒ）フィールド及び１つの論理チャネルグループ識別子（ＬＣＧ  ＩＤ）フィールドを含んでもよい。換言すれば、２つのＲフィールドによりＬＣＧに対応するすべての論理チャネルの伝送対象のデータのサイズを指示する。理解すべきように、図４に示される第１のフォーマットと図６に示される第２のフォーマットとの区別は、図４に示される第１のフォーマットの予約フィールドにＬＣＧ  ＩＤ以外の情報が含まれてもよいが、図６に示されるＲフィールドにＬＣＧ  ＩＤが含まれてもよいことであってもよい。しかしながら、本発明の実施例はこれに制限されない。
【００５１】
理解すべきように、本発明の実施例の第１のフォーマット及び第２のフォーマットは図３〜図６の例示的な説明に制限されない。例えば、図３に示されるように、ＬＣＧ  ＩＤフィールドのフィールド長さが３ビットであり、また例えば、Ｂｕｆｆｅｒ  Ｓｉｚｅフィールドのフィールド長さが５ビットである。しかしながら、本発明の実施例はこれに制限されない。例えば、ＬＣＧ  ＩＤフィールドのフィールド長さが２ビットであり、また例えば、Ｂｕｆｆｅｒ  Ｓｉｚｅフィールドのフィールド長さが６ビットである。
【００５２】
本発明の実施例の技術案では、伝送対象のデータが存在する論理チャネルグループ（ＬＣＧ）を１つのみ有する場合、端末装置はまずこのＬＣＧのＢＳＲの報告フォーマットを確定し、次にこのＬＣＧのＢＳＲの報告フォーマットに応じてこのＬＣＧのＢＳＲを報告することにより、ＢＳＲの報告効率を向上させることができる。
【００５３】
以下では、本発明の実施例において伝送対象のデータが存在するＬＣＧを１つのみ有する場合に、端末装置が該１つのＬＣＧのＢＳＲの報告フォーマットを確定するという実現方式について説明する。
【００５４】
一実施形態では、該端末装置は該１つのＬＣＧのデータ量及び／又は該１つのＬＣＧに対応するサービスタイプに基づいて、該１つのＬＣＧのＢＳＲを確定する。
【００５５】
例えば、該１つのＬＣＧの伝送対象のデータのデータ量が１つの閾値より小さい場合、該端末装置はｓｈｏｒｔ  ＢＳＲを選択することができ、該１つのＬＣＧの伝送対象のデータのデータ量が該閾値より大きい場合、該端末装置はｌｏｎｇ  ＢＳＲを選択することができる。
【００５６】
また、例えば、該１つのＬＣＧに対応するサービスタイプが第１のサービスタイプである場合、該ＬＣＧの伝送対象のデータのデータ量に関わらず、該端末装置はｓｈｏｒｔ  ＢＳＲを選択することができ、該１つのＬＣＧに対応するサービスタイプが該第１のサービスタイプ以外の他のサービスタイプである場合、該端末装置はｌｏｎｇ  ＢＳＲを選択することができる。
【００５７】
例えば、該１つのＬＣＧに対応するサービスタイプが第１のサービスタイプであり、且つ該１つのＬＣＧの伝送対象のデータのデータ量が１つの閾値より小さい場合、該端末装置はｓｈｏｒｔ  ＢＳＲを選択することができ、さもないと、該端末装置はｌｏｎｇ  ＢＳＲを選択することができる。
【００５８】
更に、該第１のサービスタイプ又は該閾値は予め設定されてもよく、ネットワーク装置により静的又は半静的又は動的に設定されてもよい。更に、該第１のサービスタイプはビデオ（ｖｉｄｅｏ）サービス又は音声（ｖｏｉｃｅ）サービス又は他のサービスタイプであってもよい。本発明の実施例はこれを具体的に限定されない。
【００５９】
以下では、ネットワーク装置が端末装置の該閾値及び該第１のサービスタイプを予め設定することについて説明する。選択肢として、該端末装置は該ネットワーク装置から送信された、該指示情報を含むＲＲＣシグナリングを受信することができる。即ち、ネットワーク装置はＲＲＣシグナリングによって該閾値及び該第１のサービスタイプを設定することができる。
【００６０】
具体的に、一実施形態では、該端末装置は該１つのＬＣＧのＢＳＲの報告フォーマットを確定する前に、該端末装置はネットワーク装置から送信された指示情報を受信することができ、該指示情報は、該端末装置が伝送対象のデータが存在するＬＣＧを１つのみ有する場合、該端末装置が該第１のフォーマットに応じて該１つのＬＣＧのＢＳＲを報告することを指示することに用いられ、又は、該指示情報は、該端末装置が伝送対象のデータが存在するＬＣＧを１つのみ有する場合、該端末装置が該第２のフォーマットに応じて該１つのＬＣＧのＢＳＲを報告することを指示することに用いられ、よって、該端末装置は該指示情報に基づいて、該１つのＬＣＧのＢＳＲの報告フォーマットを確定することができる。
【００６１】
例えば、該指示情報は閾値を含み、該閾値は、該１つのＬＣＧの伝送対象のデータのデータ量が該閾値以下である場合、該端末装置が該第１のフォーマットに応じて該１つのＬＣＧのＢＳＲを報告し、該１つのＬＣＧの伝送対象のデータのデータ量が該閾値より大きい場合、該端末装置が該第２のフォーマットに応じて該１つのＬＣＧのＢＳＲを報告することを指示することに用いられる。
【００６２】
また、例えば、該指示情報は第１のサービスタイプを含み、該第１のサービスタイプは、該１つのＬＣＧに対応するサービスタイプが該第１のサービスタイプである場合、該端末装置が該第１のフォーマットに応じて該１つのＬＣＧのＢＳＲを報告し、該１つのＬＣＧに対応するサービスタイプが該第１のサービスタイプではない場合、該端末装置が該第２のフォーマットに応じて該１つのＬＣＧのＢＳＲを報告することを指示することに用いられる。
【００６３】
理解すべきように、上記ネットワーク装置は端末装置がバッファステータスレポートの報告フォーマットを確定するように指示することは、本発明の実施例の例示的な説明に過ぎず、本発明の実施例はこれに制限されない。
【００６４】
図７は本発明の実施例の端末装置の概略ブロック図である。
【００６５】
図７に示されるように、該端末装置３００は、
端末装置が伝送対象のデータが存在する論理チャネルグループ（ＬＣＧ）を１つのみ有する場合、該１つのＬＣＧのバッファステータスレポート（ＢＳＲ）の報告フォーマットを確定することに用いられ、該報告フォーマットが第１のフォーマット又は該第１のフォーマットと異なる第２のフォーマットである処理ユニット３１０と、
該１つのＬＣＧのＢＳＲの報告フォーマットに応じて、該１つのＬＣＧのＢＳＲを報告することに用いられる送受信ユニット３２０と、を備える。
【００６６】
選択肢として、該処理ユニット３１０は具体的に、
該１つのＬＣＧのデータ量及び／又は該１つのＬＣＧに対応するサービスタイプに基づいて、該１つのＬＣＧのＢＳＲを確定することに用いられる。
【００６７】
選択肢として、該送受信ユニット３２０は更に、
該処理ユニット３１０が該１つのＬＣＧのバッファステータスレポート（ＢＳＲ）の報告フォーマットを確定する前に、ネットワーク装置から送信された指示情報を受信することに用いられ、該指示情報は、該端末装置が伝送対象のデータが存在するＬＣＧを１つのみ有する場合、該端末装置が該第１のフォーマットに応じて該１つのＬＣＧのＢＳＲを報告することを指示することに用いられ、又は、該指示情報は、該端末装置が伝送対象のデータが存在するＬＣＧを１つのみ有する場合、該端末装置が該第２のフォーマットに応じて該１つのＬＣＧのＢＳＲを報告することを指示することに用いられ、
該処理ユニット３１０は具体的に、
該指示情報に基づいて該１つのＬＣＧのＢＳＲの報告フォーマットを確定することに用いられる。
【００６８】
選択肢として、該指示情報は閾値を含み、該閾値は、該１つのＬＣＧの伝送対象のデータのデータ量が該閾値以下である場合、該端末装置が該第１のフォーマットに応じて該１つのＬＣＧのＢＳＲを報告し、該１つのＬＣＧの伝送対象のデータのデータ量が該閾値より大きい場合、該端末装置が該第２のフォーマットに応じて該１つのＬＣＧのＢＳＲを報告することを指示することに用いられる。
【００６９】
選択肢として、該指示情報は第１のサービスタイプを含み、該第１のサービスタイプは、該１つのＬＣＧに対応するサービスタイプが該第１のサービスタイプである場合、該端末装置が該第１のフォーマットに応じて該１つのＬＣＧのＢＳＲを報告し、該１つのＬＣＧに対応するサービスタイプが該第１のサービスタイプではない場合、該端末装置が該第２のフォーマットに応じて該１つのＬＣＧのＢＳＲを報告することを指示することに用いられる。
【００７０】
選択肢として、該第１のフォーマットと該第２のフォーマットに含まれることができるＢＳＲの量は異なる。
【００７１】
選択肢として、該第１のフォーマットは該１つのＬＣＧのＢＳＲのみを報告するためのフォーマットであり、該第２のフォーマットは少なくとも該１つのＬＣＧを含むＢＳＲを報告するためのフォーマットである。
【００７２】
選択肢として、該送受信ユニット３２０は具体的に、
該ネットワーク装置から送信された、該指示情報を含む無線リソース制御（ＲＲＣ）シグナリングを受信することに用いられる。
【００７３】
なお、処理ユニット３１０はプロセッサによって実現されてもよく、送受信ユニット３２０は送受信機によって実現されてもよい。図８に示されるように、端末装置４００はプロセッサ４１０、送受信機４２０及びメモリ４３０を備えてもよい。メモリ４３０は指示情報を記憶することに用いられてもよく、プロセッサ４１０により実行されるコード、命令等を記憶することに用いられてもよい。端末装置４００における各ユニットはバスシステムを介して接続され、バスシステムはデータバスに加えて、更に電源バス、制御バス及びステータス信号バスを含む。
【００７４】
図８に示される端末装置４００は上記図２の方法実施例における端末装置により実現される各過程を実現することができ、重複を避けるために、ここでは繰り返して説明しない。
【００７５】
図９は本発明の実施例のネットワーク装置の概略ブロック図である。
【００７６】
図９に示されるように、該ネットワーク装置５００は、
指示情報を生成することに用いられ、該指示情報は端末装置が、該端末装置が伝送対象のデータが存在する論理チャネルグループ（ＬＣＧ）を１つのみ有する場合の該１つのＬＣＧのバッファステータスレポート（ＢＳＲ）の報告フォーマットを確定することに用いられ、該報告フォーマットが第１のフォーマット又は該第１のフォーマットと異なる第２のフォーマットである生成ユニット５１０と、
該端末装置に該指示情報を送信することに用いられる送受信ユニット５２０と、を備える。
【００７７】
選択肢として、該指示情報は、該端末装置が伝送対象のデータが存在するＬＣＧを１つのみ有する場合、該端末装置が該第１のフォーマットに応じて該１つのＬＣＧのＢＳＲを報告することを指示することに用いられ、又は、該指示情報は、該端末装置が伝送対象のデータが存在するＬＣＧを１つのみ有する場合、該端末装置が該第２のフォーマットに応じて該１つのＬＣＧのＢＳＲを報告することを指示することに用いられる。
【００７８】
選択肢として、該指示情報は閾値を含み、該閾値は、該１つのＬＣＧの伝送対象のデータのデータ量が該閾値以下である場合、該端末装置が該第１のフォーマットに応じて該１つのＬＣＧのＢＳＲを報告し、該１つのＬＣＧの伝送対象のデータのデータ量が該閾値より大きい場合、該端末装置が該第２のフォーマットに応じて該１つのＬＣＧのＢＳＲを報告することを指示することに用いられる。
【００７９】
選択肢として、該指示情報は第１のサービスタイプを含み、該第１のサービスタイプは、該１つのＬＣＧに対応するサービスタイプが該第１のサービスタイプである場合、該端末装置が該第１のフォーマットに応じて該１つのＬＣＧのＢＳＲを報告し、該１つのＬＣＧに対応するサービスタイプが該第１のサービスタイプではない場合、該端末装置が該第２のフォーマットに応じて該１つのＬＣＧのＢＳＲを報告することを指示することに用いられる。
【００８０】
選択肢として、該第１のフォーマットと該第２のフォーマットに含まれることができるＢＳＲの量は異なる。
【００８１】
選択肢として、該第１のフォーマットは該１つのＬＣＧのＢＳＲのみを報告するためのフォーマットであり、該第２のフォーマットは少なくとも該１つのＬＣＧを含むＢＳＲを報告するためのフォーマットである。
【００８２】
選択肢として、該送受信ユニット５２０は具体的に、
該指示情報を含む無線リソース制御（ＲＲＣ）シグナリングを該端末装置に送信することに用いられる。
【００８３】
なお、処理ユニット５１０はプロセッサによって実現されてもよく、送受信ユニット５２０は送受信機によって実現されてもよい。図１０に示されるように、ネットワーク装置６００はプロセッサ６１０、送受信機６２０及びメモリ６３０を備えてもよい。メモリ６３０は指示情報を記憶することに用いられてもよく、プロセッサ６１０により実行されるコード、命令等を記憶することに用いられてもよい。ネットワーク装置６００における各ユニットはバスシステムを介して接続され、バスシステムはデータバスに加えて、更に電源バス、制御バス及びステータス信号バスを含む。
【００８４】
図１０に示されるネットワーク装置６００は上記図２の方法実施例におけるネットワーク装置により実現される各過程を実現することができ、重複を避けるために、ここでは繰り返して説明しない。すなわち、本発明の実施例の方法実施例はプロセッサに適用され、又はプロセッサによって実現されることができる。
【００８５】
実現過程において、本発明の実施例の方法実施例の各ステップはプロセッサにおけるハードウェアの集成論理回路又はソフトウェア形態の命令によって完了される。具体的に、本発明の実施例に開示されている方法のステップは、ハードウェアデコードプロセッサによって実行して完了され、又はデコードプロセッサにおけるハードウェアとソフトウェアモジュールとの組み合わせによって実行して完了されるように直接に具現されてもよい。ソフトウェアモジュールはランダムアクセスメモリ、フラッシュメモリ、リードオンリーメモリ、プログラマブルリードオンリーメモリ又は電気的消去可能なプログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを完了する。
【００８６】
プロセッサは信号処理能力を有する集積回路チップであってもよく、本発明の実施例に開示されている各方法、ステップ及び論理ブロック図を実現又は実行することができる。例えば、上記プロセッサは汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は他のプログラマブル論理デバイス、トランジス論理デバイス、個別のハードウェアコンポーネント等であってもよい。また、汎用プロセッサはマイクロプロセッサであってもよく、又は該プロセッサは任意の一般的なプロセッサ等であってもよい。
【００８７】
また、本発明の実施例では、メモリは揮発性メモリ又は不揮発性メモリであってもよく、又は揮発性及び不揮発性メモリの両方を含んでもよい。不揮発性メモリはリードオンリーメモリ（ｒｅａｄ−ｏｎｌｙ  ｍｅｍｏｒｙ、ＲＯＭ）、プログラマブルリードオンリーメモリ（ｐｒｏｇｒａｍｍａｂｌｅ  ＲＯＭ、ＰＲＯＭ）、消去可能なプログラマブルリードオンリーメモリ（ｅｒａｓａｂｌｅ  ＰＲＯＭ、ＥＰＲＯＭ）、電気的に消去可能なプログラマブルリードオンリーメモリ（ｅｌｅｃｔｒｉｃａｌｌｙ  ＥＰＲＯＭ、ＥＥＰＲＯＭ）又はフラッシュメモリであってもよい。揮発性メモリは外部キャッシュとするランダムアクセスメモリ（ｒａｎｄｏｍ  ａｃｃｅｓｓ  ｍｅｍｏｒｙ、ＲＡＭ）であってもよい。理解すべきように、上記メモリは例示的であるが限定的ではなく、例えば、本発明の実施例におけるメモリはスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、シンクロナスダイナミックランダムアクセスメモリ（ｓｙｎｃｈｒｏｎｏｕｓ  ＤＲＡＭ、ＳＤＲＡＭ）、ダブルデータレートシンクロナスダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張型シンクロナスダイナミックランダムアクセスメモリ（ｅｎｈａｎｃｅｄ  ＳＤＲＡＭ、ＥＳＤＲＡＭ）、シンクロナスチェーンダイナミックランダムアクセスメモリ（ｓｙｎｃｈ  ｌｉｎｋ  ＤＲＡＭ、ＳＬＤＲＡＭ）及びダイレクトメモリーバスランダムアクセスメモリ（Ｄｉｒｅｃｔ  Ｒａｍｂｕｓ  ＲＡＭ、ＤＲ  ＲＡＭ）等であってもよい。すなわち、本明細書に説明されるシステム及び方法のメモリはそれら又は他の任意の適切なタイプのメモリを含むがそれらに制限されない。
【００８８】
なお、本発明の実施例及び添付の特許請求の範囲に使用される用語は、本発明の実施例を制限することでなく、単に特定の実施例を説明するものである。
【００８９】
例えば、文脈によって明らかに他の意味を示さない限り、本発明の実施例及び添付の特許請求の範囲に使用される単数の「１種」、「前記」及び「該」は多数形態を含む。
【００９０】
例えば、文脈に応じて、ここで使用される用語の「……場合」は「すれば」又は「もし」又は「……とき」又は「確定への応答」又は「検出への応答」と解釈されてもよい。類似して、文脈に応じて、用語の「確定すれば」又は「（陳述した条件又はイベントを）検出すれば」は「確定する時」又は「確定への応答」又は「（陳述した条件又はイベントを）検出する時」又は「（陳述した条件又はイベントの）検出への応答」と解釈されてもよい。
【００９１】
当業者が理解できるように、本明細書に開示されている実施例によって説明された各例のユニット及びアルゴリズムステップは、電子ハードウェア、又はコンピュータソフトウェア及び電子ハードウェアの組み合わせによって実現できる。それらの機能がハードウェア方式で実行されるか、又はソフトウェア方式で実行されるかは、技術案の特定の応用及び設計制約条件に決められる。当業者は各特定の応用に対して異なる方法で説明された機能を実現することができるが、このような実現は本発明の実施例の範囲を超えると考えられるべきでない。
【００９２】
当業者が理解できるように、説明の便宜上、上記説明されたシステム、装置及びユニットの具体的な動作過程については、上記方法実施例における対応の過程を参照でき、ここで繰り返して説明しない。
【００９３】
本願に係るいくつかの実施例では、開示されたシステム、装置及び方法が他の形態により実現されてもよいことは理解すべきである。例えば、以上の説明した装置の実施例は例示的なものに過ぎず、例えば、該ユニットの分割はロジック機能の分割に過ぎず、実際の実現では他の分割方式があってもよく、例えば、複数のユニット又は要素は他のシステムに組み合わせ又は統合してもよく、又は一部の特徴を無視したり実行しなかったりしてもよい。また、表示又は検討される相互結合、或いは直接結合又は通信接続はいくつかのインタフェース、装置又はユニットを介する間接結合又は通信接続であってもよく、電気的、機械的、又は他の形態であってもよい。
【００９４】
分離部材として説明した前記ユニットは物理的に分離してもよく、物理的に分離しなくてもよく、ユニットとして表示される部材は物理的ユニットであってもよく、又は物理的ユニットでなくてもよく、即ち、１つの場所に位置してもよく、又は複数のネットワークユニットに分散してもよい。実際のニーズに応じて、一部又は全てのユニットを選択して本発明の実施例の目的を実現することができる。
【００９５】
また、本発明の実施例における各機能ユニットは１つの処理ユニットに統合されてもよく、それぞれのユニットが別々に物理的に存在してもよく、更に、２つ以上のユニットが１つのユニットに統合されてもよい。
【００９６】
ソフトウェア機能ユニットの形態で実現され独立した製品として販売又は使用される場合、１つのコンピュータ可読記憶媒体に記憶されてもよい。このような理解に基づいて、本発明の実施例の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等であってもよい）に本発明の実施例に記載の方法の全て又は一部のステップを実行させるための複数の命令を含む。上記記憶媒体はＵディスク、モバイルディスク、リードオンリーメモリ、ランダムアクセスメモリ、磁気ディスク又は光ディスク等のプロクラムコードを記憶可能な種々の媒体を含む。
【００９７】
以上の内容は本発明の実施例の具体的な実施形態に過ぎず、本発明の実施例の保護範囲はそれに制限されず、当業者が本発明の実施例に開示される技術範囲内に容易に想到し得る変化や置換は、いずれも本発明の実施例の保護範囲内にあるべきである。従って、本発明の実施例の保護範囲は請求項の保護範囲を基準とするべきである。
【図１】
2021500796.tif 000003
【図２】
2021500796.tif 000004
【図３】
2021500796.tif 000005
【図４】
2021500796.tif 000006
【図５】
2021500796.tif 000007
【図６】
2021500796.tif 000008
【図７】
2021500796.tif 000009
【図８】
2021500796.tif 000010
【図９】
2021500796.tif 000011
【図１０】
2021500796.tif 000012
【手続補正書】
【提出日】令和2年5月18日(2020.5.18)
【手続補正１】
【補正対象書類名】明細書
【補正対象項目名】００１４
【補正方法】変更
【補正の内容】
【００１４】
いくつかの可能な実現方式では、前記第１のフォーマットは前記１つのＬＣＧのＢＳＲのみを報告するためのフォーマットであり、前記第２のフォーマットは少なくとも前記１つのＬＣＧのＢＳＲを含むＢＳＲを報告するためのフォーマットである。
【手続補正２】
【補正対象書類名】明細書
【補正対象項目名】００２１
【補正方法】変更
【補正の内容】
【００２１】
いくつかの可能な実現方式では、前記第１のフォーマットは前記１つのＬＣＧのＢＳＲのみを報告するためのフォーマットであり、前記第２のフォーマットは少なくとも前記１つのＬＣＧのＢＳＲを含むＢＳＲを報告するためのフォーマットである。
【手続補正３】
【補正対象書類名】明細書
【補正対象項目名】００３４
【補正方法】変更
【補正の内容】
【００３４】
理解すべきように、本発明の実施例は通信システム１００を例として説明するものに過ぎず、本発明の実施例はこれに限定されない。すなわち、本発明の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）等に適用可能である。
【手続補正４】
【補正対象書類名】明細書
【補正対象項目名】００４４
【補正方法】変更
【補正の内容】
【００４４】
一実施形態では、該第１のフォーマットと該第２のフォーマットに含まれることができるＢＳＲの量は異なる。更に、該第１のフォーマットは該１つのＬＣＧのＢＳＲのみを報告するためのフォーマットであり、該第２のフォーマットは少なくとも該１つのＬＣＧのＢＳＲを含むＢＳＲを報告するためのフォーマットである。
【手続補正５】
【補正対象書類名】明細書
【補正対象項目名】００５９
【補正方法】変更
【補正の内容】
【００５９】
以下では、ネットワーク装置が端末装置の該閾値及び該第１のサービスタイプを予め設定することを例として説明する。選択肢として、該端末装置は該ネットワーク装置から送信された、該指示情報を含むＲＲＣシグナリングを受信することができる。即ち、ネットワーク装置はＲＲＣシグナリングによって該閾値及び該第１のサービスタイプを設定することができる。
【手続補正６】
【補正対象書類名】明細書
【補正対象項目名】００７１
【補正方法】変更
【補正の内容】
【００７１】
選択肢として、該第１のフォーマットは該１つのＬＣＧのＢＳＲのみを報告するためのフォーマットであり、該第２のフォーマットは少なくとも該１つのＬＣＧのＢＳＲを含むＢＳＲを報告するためのフォーマットである。
【手続補正７】
【補正対象書類名】明細書
【補正対象項目名】００８１
【補正方法】変更
【補正の内容】
【００８１】
選択肢として、該第１のフォーマットは該１つのＬＣＧのＢＳＲのみを報告するためのフォーマットであり、該第２のフォーマットは少なくとも該１つのＬＣＧのＢＳＲを含むＢＳＲを報告するためのフォーマットである。
【手続補正８】
【補正対象書類名】明細書
【補正対象項目名】００８３
【補正方法】変更
【補正の内容】
【００８３】
なお、生成ユニット５１０はプロセッサによって実現されてもよく、送受信ユニット５２０は送受信機によって実現されてもよい。図１０に示されるように、ネットワーク装置６００はプロセッサ６１０、送受信機６２０及びメモリ６３０を備えてもよい。メモリ６３０は指示情報を記憶することに用いられてもよく、プロセッサ６１０により実行されるコード、命令等を記憶することに用いられてもよい。ネットワーク装置６００における各ユニットはバスシステムを介して接続され、バスシステムはデータバスに加えて、更に電源バス、制御バス及びステータス信号バスを含む。
【手続補正９】
【補正対象書類名】特許請求の範囲
【補正対象項目名】全文
【補正方法】変更
【補正の内容】
【特許請求の範囲】
【請求項１】
端末装置は、伝送対象のデータが存在する論理チャネルグループ（ＬＣＧ）を１つのみ有する場合、１つのＬＣＧのバッファステータスレポート（ＢＳＲ）の報告フォーマットを確定し、前記報告フォーマットは第１のフォーマット又は前記第１のフォーマットと異なる第２のフォーマットであることと、
前記端末装置は前記１つのＬＣＧのＢＳＲの報告フォーマットに基づいて、前記１つのＬＣＧのＢＳＲを報告することと、を含むことを特徴とするデータ伝送方法。
【請求項２】
前記１つのＬＣＧのバッファステータスレポート（ＢＳＲ）の報告フォーマットを確定することは、
前記端末装置は前記１つのＬＣＧのデータ量及び／又は前記１つのＬＣＧに対応するサービスタイプに基づいて、前記１つのＬＣＧのＢＳＲを確定することを含むことを特徴とする請求項１に記載の方法。
【請求項３】
前記１つのＬＣＧのバッファステータスレポート（ＢＳＲ）の報告フォーマットを確定する前に、前記方法は、
前記端末装置はネットワーク装置から送信された指示情報を受信し、前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられることを更に含み、
前記１つのＬＣＧのバッファステータスレポート（ＢＳＲ）の報告フォーマットを確定することは、
前記端末装置が前記指示情報に基づいて、前記１つのＬＣＧのＢＳＲの報告フォーマットを確定することを含むことを特徴とする請求項１又は２に記載の方法。
【請求項４】
前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられ、
或いは、
前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられることを特徴とする請求項３に記載の方法。
【請求項５】
前記第１のフォーマットと前記第２のフォーマットに含まれることができるＢＳＲの量は異なることを特徴とする請求項１〜４のいずれか１項に記載の方法。
【請求項６】
前記第１のフォーマットは前記１つのＬＣＧのＢＳＲのみを報告するためのフォーマットであり、前記第２のフォーマットは少なくとも前記１つのＬＣＧのＢＳＲを含むＢＳＲを報告するためのフォーマットであることを特徴とする請求項５に記載の方法。
【請求項７】
前記端末装置がネットワーク装置から送信された指示情報を受信することは、
前記端末装置は前記ネットワーク装置から送信された、前記指示情報を含む無線リソース制御（ＲＲＣ）シグナリングを受信することを含むことを特徴とする請求項３〜６のいずれか１項に記載の方法。
【請求項８】
端末装置が伝送対象のデータが存在する論理チャネルグループ（ＬＣＧ）を１つのみ有する場合、１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである処理ユニットと、
前記１つのＬＣＧのＢＳＲの報告フォーマットに応じて、前記１つのＬＣＧのＢＳＲを報告することに用いられる送受信ユニットと、を備えることを特徴とする端末装置。
【請求項９】
前記処理ユニットは具体的に、
前記１つのＬＣＧのデータ量及び／又は前記１つのＬＣＧに対応するサービスタイプに基づいて、前記１つのＬＣＧのＢＳＲを確定することに用いられることを特徴とする請求項８に記載の端末装置。
【請求項１０】
前記送受信ユニットは更に、
前記処理ユニットが前記１つのＬＣＧのバッファステータスレポート（ＢＳＲ）の報告フォーマットを確定する前に、ネットワーク装置から送信された指示情報を受信することに用いられ、前記指示情報は、前記端末装置が伝送対象のデータが存在するＬＣＧを１つのみ有する場合、前記端末装置が前記第１のフォーマットに応じて前記１つのＬＣＧのＢＳＲを報告することを指示することに用いられ、又は、前記指示情報は、前記端末装置が伝送対象のデータが存在するＬＣＧを１つのみ有する場合、前記端末装置が前記第２のフォーマットに応じて前記１つのＬＣＧのＢＳＲを報告することを指示することに用いられ、
前記処理ユニットは具体的に、
前記指示情報に基づいて前記１つのＬＣＧのＢＳＲの報告フォーマットを確定することに用いられることを特徴とする請求項８又は９に記載の端末装置。
【請求項１１】
前記指示情報は閾値を含み、前記閾値は、前記１つのＬＣＧの伝送対象のデータのデータ量が前記閾値以下である場合、前記端末装置が前記第１のフォーマットに応じて前記１つのＬＣＧのＢＳＲを報告し、前記１つのＬＣＧの伝送対象のデータのデータ量が前記閾値より大きい場合、前記端末装置が前記第２のフォーマットに応じて前記１つのＬＣＧのＢＳＲを報告することを指示することに用いられ、
或いは、
前記指示情報は第１のサービスタイプを含み、前記第１のサービスタイプは、前記１つのＬＣＧに対応するサービスタイプが前記第１のサービスタイプである場合、前記端末装置が前記第１のフォーマットに応じて前記１つのＬＣＧのＢＳＲを報告し、前記１つのＬＣＧに対応するサービスタイプが前記第１のサービスタイプではない場合、前記端末装置が前記第２のフォーマットに応じて前記１つのＬＣＧのＢＳＲを報告することを指示することに用いられることを特徴とする請求項１０に記載の端末装置。
【請求項１２】
前記第１のフォーマットと前記第２のフォーマットに含まれることができるＢＳＲの量は異なることを特徴とする請求項８〜１１のいずれか１項に記載の端末装置。
【請求項１３】
前記第１のフォーマットは前記１つのＬＣＧのＢＳＲのみを報告するためのフォーマットであり、前記第２のフォーマットは少なくとも前記１つのＬＣＧのＢＳＲを含むＢＳＲを報告するためのフォーマットであることを特徴とする請求項１２に記載の端末装置。
【請求項１４】
前記送受信ユニットは具体的に、
ネットワーク装置から送信された、指示情報を含む無線リソース制御（ＲＲＣ）シグナリングを受信することに用いられることを特徴とする請求項１０〜１３のいずれか１項に記載の端末装置。
【請求項１５】
指示情報を生成することに用いられ、前記指示情報は端末装置が、前記端末装置が伝送対象のデータが存在する論理チャネルグループ（ＬＣＧ）を１つのみ有する場合の１つのＬＣＧのバッファステータスレポート（ＢＳＲ）の報告フォーマットを確定することに用いられ、前記報告フォーマットが第１のフォーマット又は前記第１のフォーマットと異なる第２のフォーマットである生成ユニットと、
前記端末装置に前記指示情報を送信することに用いられる送受信ユニットと、を備えることを特徴とするネットワーク装置。
【国際調査報告】
2021500796.tif 000013
2021500796.tif 000014
2021500796.tif 000015
2021500796.tif 000016